(57)【要約】【課題】エアーコンディショナの消費電力を低減可能なコントローラを提供する。【解決手段】建物の複数の窓の各々の近傍に風速計が設置されている。コントローラは、部屋ｄに風を通すための扉および窓を複数の風速計の各々に対応付けて表したデータテーブルを格納している。コントローラは、外気温情報と、エアーコンディショナの設定温度情報と、複数の風速計の各々から風速情報を受信する。コントローラは、記複数の風速計の中から最も早い風速を検知した風速計を特定する。コントローラは、設定温度に予め定められた値を加算したことにより得られる温度よりも外気温が低いとき、データテーブルに基づいて、特定された風速計に対応付けられた部屋ｄに風を通すための扉および窓を決定する。コントローラは、扉および窓の決定に基づき、予め定められた出力を行なう。【選択図】図４
2013092283.tif 000002
【特許請求の範囲】
【請求項１】
複数の窓および複数の室内扉を備えた建物に設置されるコントローラであって、
プロセッサと、
前記建物に設置されたエアーコンディショナ、前記複数の窓の各々の近傍に設置された風速計、および前記建物の外気温を測定するための温度センサと通信するための通信インターフェイスと、
前記建物内の予め定められた部屋に風を通すための室内扉および窓を前記複数の風速計の各々に対応付けて表したデータを格納したメモリとを備え、
前記プロセッサは、
前記エアーコンディショナが冷房運転している場合、前記通信インターフェイスを用いて、前記温度センサから外気温を表した外気温情報と、前記エアーコンディショナから当該エアーコンディショナにおいて設定されている設定温度を表した設定温度情報と、前記複数の風速計の各々から風速を表した風速情報を受信し、
前記複数の風速計の中から、前記最も早い風速を検知した風速計を特定し、
前記設定温度に予め定められた第１の値を加算したことにより得られる温度よりも前記外気温が低いとき、前記データに基づいて、前記特定された風速計に対応付けられた前記部屋に風を通すための室内扉および窓を決定し、
前記部屋に風を通すための室内扉および窓の決定に基づき、予め定められた出力を行なう、コントローラ。
【請求項２】
前記プロセッサは、前記最も速い風速が予め定められた範囲内であって、かつ前記設定温度に予め定められた第１の値を加算したことにより得られる温度よりも前記外気温が低いときに、前記データに基づいて、前記特定された風速計に対応付けられた前記部屋に風を通すための室内扉および窓を決定する、請求項１に記載のコントローラ。
【請求項３】
前記プロセッサは、
前記通信インターフェイスを用いて、前記部屋の快適指数を計測する計測装置から当該快適指数を表した快適指数情報をさらに受信し、
前記快適指数が快適であることを表した数値であるか否かを判断し、
前記快適指数が快適でないことを表した数値である場合、前記複数の風速計の中から、次に速い風速を検知した風速計を特定し、
前記データに基づいて、前記特定された風速計に対応付けられた前記部屋に風を通すための室内扉および窓を再度決定し、
前記部屋に風を通すための室内扉および窓の再度の決定に基づき、予め定められた出力を再度行ない、
前記快適指数が快適であることを表した数値であるか否かを再度判断し、
前記快適指数が快適であることを表した数値となるまで、前記風速計の特定と、前記部屋に風を通すための室内扉および窓の決定と、前記予め定められた出力とを繰り返す、請求項２に記載のコントローラ。
【請求項４】
前記プロセッサは、前記設定温度から予め定められた第２の値を差し引いたことにより得られる温度よりも前記外気温が高い場合、前記最も速い風速が予め定められた範囲内であるか否かの判断と、前記設定温度に前記第１の値を加算したことにより得られる温度よりも前記外気温が低いか否かの判断とを行なう、請求項２または３に記載のコントローラ。
【請求項５】
前記プロセッサは、前記設定温度から第２の値を差し引いたことにより得られる温度よりも前記外気温が低い場合、前記部屋の窓が前記コントローラの指令に基づいて自動で開閉動作を行なうものであるときには当該窓を開閉するための装置に対して当該窓を開けるための指令を送信し、前記部屋の窓が前記コントローラの指令に基づいて自動で開閉動作を行なうものでないときには当該窓を開けることを指示する報知を行なう、請求項４に記載のコントローラ。
【請求項６】
前記複数の窓の各々は、前記コントローラの指令に基づいて、自動で開閉動作を行なうものであって、
前記プロセッサは、前記予め定められた出力として、前記決定された窓を開閉するための装置に対して、当該窓を開けるための指令を送信する、請求項１〜５のいずれか１項に記載のコントローラ。
【請求項７】
前記プロセッサは、前記予め定められた出力として、前記決定された前記部屋に風を通すための室内扉および窓を表す情報を画像および／または音声にて報知する、請求項１〜５のいずれか１項に記載のコントローラ。
【請求項８】
前記複数の窓は、前記コントローラの指令に基づいて自動で開閉動作を行なう第１の窓と、手動で開閉動作が行なわれる第２の窓とを含み、
前記プロセッサは、前記予め定められた出力として、前記決定された窓のうち前記第１の窓に対して当該窓を開けるための指令を送信し、前記決定された窓のうち前記第２の窓および前記決定された室内扉を表す情報を画像および／または音声にて報知する、請求項１〜５のいずれか１項に記載のコントローラ。
【請求項９】
前記プロセッサは、前記予め定められた出力を行なった後に、前記エアーコンディショナの冷房運転を停止させる指令を当該エアーコンディショナに送信する、請求項６〜８のいずれか１項に記載のコントローラ。
【請求項１０】
複数の窓および複数の室内扉を備えた建物に設置されるコントローラで実行される出力制御方法であって、
前記コントローラは、前記建物に設置されたエアーコンディショナ、前記複数の窓の各々の近傍に設置された風速計、および前記建物の外気温を測定するための温度センサと通信し、前記建物内の予め定められた部屋に風を通すための室内扉および窓を前記複数の風速計の各々に対応付けて表したデータをさらに格納しており、
前記出力制御方法は、
前記エアーコンディショナが冷房運転している場合、前記通信インターフェイスを用いて、前記温度センサから外気温を表した外気温情報と、前記エアーコンディショナから当該エアーコンディショナにおいて設定されている設定温度を表した設定温度情報と、前記複数の風速計の各々から風速を表した風速情報を受信するステップと、
前記複数の風速計の中から、前記最も早い風速を検知した風速計を特定するステップと、
前記設定温度に予め定められた第１の値を加算したことにより得られる温度よりも前記外気温が低いとき、前記データに基づいて、前記特定された風速計に対応付けられた前記部屋に風を通すための室内扉および窓を決定するステップと、
前記部屋に風を通すための室内扉および窓の決定に基づき、予め定められた出力を行なうステップとを備える、出力制御方法。
【請求項１１】
複数の窓および複数の室内扉を備えた建物に設置されるコントローラを制御するためのプログラムであって、
前記コントローラは、前記建物に設置されたエアーコンディショナ、前記複数の窓の各々の近傍に設置された風速計、および前記建物の外気温を測定するための温度センサと通信し、前記建物内の予め定められた部屋に風を通すための室内扉および窓を前記複数の風速計の各々に対応付けて表したデータをさらに格納しており、
前記プログラムは、
前記エアーコンディショナが冷房運転している場合、前記通信インターフェイスを用いて、前記温度センサから外気温を表した外気温情報と、前記エアーコンディショナから当該エアーコンディショナにおいて設定されている設定温度を表した設定温度情報と、前記複数の風速計の各々から風速を表した風速情報を受信するステップと、
前記複数の風速計の中から、前記最も早い風速を検知した風速計を特定するステップと、
前記設定温度に予め定められた第１の値を加算したことにより得られる温度よりも前記外気温が低いとき、前記データに基づいて、前記特定された風速計に対応付けられた前記部屋に風を通すための室内扉および窓を決定するステップと、
前記部屋に風を通すための室内扉および窓の決定に基づき、予め定められた出力を行なうステップとを、前記コントローラのプロセッサに実行させる、プログラム。
【発明の詳細な説明】
【技術分野】
【０００１】
本発明は、コントローラ、出力制御方法、およびプログラムに関する。特に、本発明は、エアーコンディショナと通信可能なコントローラ、コントローラにおける出力制御方法、およびコントローラを制御するためのプログラムに関する。
【背景技術】
【０００２】
従来、エアーコンディショナの動作を制御するためのシステムが知られている。
特許文献１には、上記システムのコントローラして、外気温の変化に応じてエアーコンディショナを停止するとともに、ガラス戸を開閉するための信号を窓開閉用駆動部に送信する構成が開示されている。コントローラによってガラス戸が開放されることにより、室内に外気を導入することができる。その結果、室内温度の調整が行なわれる。
【０００３】
また、特許文献２には、上記システムとして、宅外のユーザが携帯端末装置を用いて、エアーコンディショナに動作指令を送信する構成が開示されている。当該エアーコンディショナは、当該動作指令を受信した場合にドアおよび／または扉が開いているときには、携帯型電話機に対して、エアーコンディショナを運転させないことを報知する。その一方、ドアおよび扉が閉まっているときには、エアーコンディショナは、上記報知を行なうことなく、自機の運転を開始する。このような構成によって、効率的なエアーコンディショナの運転を可能としている。
【先行技術文献】
【特許文献】
【０００４】
【特許文献１】特開平１０−１２１５９１号公報
【特許文献２】特開２００５−２７３９３７号公報
【発明の概要】
【発明が解決しようとする課題】
【０００５】
しかしながら、従来の技術は、室内温度と外気温との温度差および空気の流れ（つまり、風）を利用して外気を室内に導入するものである。このため、室内温度と外気温との温度差がなかった場合、あるいは空気の流れが少ない場合には、外気が室内に流入しにくい。それゆえ、対象となる部屋への外気の導入を適切に行なうことができない。したがって、対象となる部屋に設置されたエアーコンディショナを効率的に運転することが困難となる。
【０００６】
本願発明は、上記の問題点に鑑みなされたものであって、その目的は、エアーコンディショナの消費電力を低減可能なコントローラ、コントローラの出力制御方法、およびコントローラを制御するためのプログラムを提供することにある。
【課題を解決するための手段】
【０００７】
本発明のある局面に従うと、コントローラは、複数の窓および複数の室内扉を備えた建物に設置される。コントローラは、プロセッサと、建物に設置されたエアーコンディショナ、複数の窓の各々の近傍に設置された風速計、および建物の外気温を測定するための温度センサと通信するための通信インターフェイスと、部屋に風を通すための室内扉および窓を複数の風速計の各々に対応付けて表したデータを格納したメモリとを備える。プロセッサは、エアーコンディショナが冷房運転している場合、通信インターフェイスを用いて、温度センサから外気温を表した外気温情報と、エアーコンディショナから当該エアーコンディショナにおいて設定されている設定温度を表した設定温度情報と、複数の風速計の各々から風速を表した風速情報を受信する。プロセッサは、複数の風速計の中から、最も早い風速を検知した風速計を特定する。プロセッサは、設定温度に予め定められた第１の値を加算したことにより得られる温度よりも外気温が低いとき、データに基づいて、特定された風速計に対応付けられた部屋に風を通すための室内扉および窓を決定する。プロセッサは、部屋に風を通すための室内扉および窓の決定に基づき、予め定められた出力を行なう。
【０００８】
好ましくは、プロセッサは、最も速い風速が予め定められた範囲内であって、かつ設定温度に予め定められた第１の値を加算したことにより得られる温度よりも外気温が低いときに、データに基づいて、特定された風速計に対応付けられた部屋に風を通すための室内扉および窓を決定する。
【０００９】
好ましくは、プロセッサは、通信インターフェイスを用いて、部屋の快適指数を計測する計測装置から当該快適指数を表した快適指数情報をさらに受信する。プロセッサは、快適指数が快適であることを表した数値であるか否かを判断する。プロセッサは、快適指数が快適でないことを表した数値である場合、複数の風速計の中から、次に速い風速を検知した風速計を特定する。プロセッサは、データに基づいて、特定された風速計に対応付けられた部屋に風を通すための室内扉および窓を再度決定する。プロセッサは、部屋に風を通すための室内扉および窓の再度の決定に基づき、予め定められた出力を再度行なう。プロセッサは、快適指数が快適であることを表した数値であるか否かを再度判断する。プロセッサは、快適指数が快適であることを表した数値となるまで、風速計の特定と、部屋に風を通すための室内扉および窓の決定と、予め定められた出力とを繰り返す。
【００１０】
好ましくは、プロセッサは、設定温度から予め定められた第２の値を差し引いたことにより得られる温度よりも外気温が高い場合、最も速い風速が予め定められた範囲内であるか否かの判断と、設定温度に第１の値を加算したことにより得られる温度よりも外気温が低いか否かの判断とを行なう。
【００１１】
好ましくは、プロセッサは、設定温度から第２の値を差し引いたことにより得られる温度よりも外気温が低い場合、部屋の窓がコントローラの指令に基づいて自動で開閉動作を行なうものであるときには当該窓を開閉するための装置に対して当該窓を開けるための指令を送信し、部屋の窓がコントローラの指令に基づいて自動で開閉動作を行なうものでないときには当該窓を開けることを指示する報知を行なう。
【００１２】
好ましくは、複数の窓の各々は、コントローラの指令に基づいて、自動で開閉動作を行なうものである。プロセッサは、予め定められた出力として、決定された窓を開閉するための装置に対して、当該窓を開けるための指令を送信する。
【００１３】
好ましくは、プロセッサは、予め定められた出力として、決定された部屋に風を通すための室内扉および窓を表す情報を画像および／または音声にて報知する。
【００１４】
好ましくは、複数の窓は、コントローラの指令に基づいて自動で開閉動作を行なう第１の窓と、手動で開閉動作が行なわれる第２の窓とを含む。プロセッサは、予め定められた出力として、決定された窓のうち第１の窓に対して当該窓を開けるための指令を送信し、決定された窓のうち第２の窓および決定された室内扉を表す情報を画像および／または音声にて報知する。
【００１５】
好ましくは、プロセッサは、予め定められた出力を行なった後に、エアーコンディショナの冷房運転を停止させる指令を当該エアーコンディショナに送信する。
【００１６】
本発明の他の局面に従うと、出力制御方法は、複数の窓および複数の室内扉を備えた建物に設置されるコントローラで実行される。コントローラは、建物に設置されたエアーコンディショナ、複数の窓の各々の近傍に設置された風速計、および建物の外気温を測定するための温度センサと通信し、部屋に風を通すための室内扉および窓を複数の風速計の各々に対応付けて表したデータをさらに格納している。出力制御方法は、エアーコンディショナが冷房運転している場合、通信インターフェイスを用いて、温度センサから外気温を表した外気温情報と、エアーコンディショナから当該エアーコンディショナにおいて設定されている設定温度を表した設定温度情報と、複数の風速計の各々から風速を表した風速情報を受信するステップと、複数の風速計の中から、最も早い風速を検知した風速計を特定するステップと、設定温度に予め定められた第１の値を加算したことにより得られる温度よりも外気温が低いとき、データに基づいて、特定された風速計に対応付けられた部屋に風を通すための室内扉および窓を決定するステップと、部屋に風を通すための室内扉および窓の決定に基づき、予め定められた出力を行なうステップとを備える。
【００１７】
本発明のさらに他の局面に従うと、プログラムは、複数の窓および複数の室内扉を備えた建物に設置されるコントローラを制御する。コントローラは、建物に設置されたエアーコンディショナ、複数の窓の各々の近傍に設置された風速計、および建物の外気温を測定するための温度センサと通信し、部屋に風を通すための室内扉および窓を複数の風速計の各々に対応付けて表したデータをさらに格納している。プログラムは、エアーコンディショナが冷房運転している場合、通信インターフェイスを用いて、温度センサから外気温を表した外気温情報と、エアーコンディショナから当該エアーコンディショナにおいて設定されている設定温度を表した設定温度情報と、複数の風速計の各々から風速を表した風速情報を受信するステップと、複数の風速計の中から、最も早い風速を検知した風速計を特定するステップと、設定温度に予め定められた第１の値を加算したことにより得られる温度よりも外気温が低いとき、データに基づいて、特定された風速計に対応付けられた部屋に風を通すための室内扉および窓を決定するステップと、部屋に風を通すための室内扉および窓の決定に基づき、予め定められた出力を行なうステップとを、コントローラのプロセッサに実行させる。
【発明の効果】
【００１８】
本発明によれば、エアーコンディショナの消費電力を低減可能となる。
【図面の簡単な説明】
【００１９】
【図１】通信システムを説明するための図である。
【図２】コントローラの構成を説明するための図である。
【図３】メモリに格納されているデータテーブルを表した図である。
【図４】コントローラにおける処理の流れを表したフローチャートである。
【図５】ステップＳ１０の詳細な処理を説明するためのフローチャートである。
【図６】ディスプレイに表示される案内表示を説明するための図である。
【図７】コントローラの処理の一部を説明するためのフローチャートである。
【図８】図４のステップＳ４とステップＳ６との間に新たな判断処理のステップを追加した構成のフローチャートである。
【図９】ステップＳ３０２において肯定的な判断がなされた場合に行なわる一連の処理を説明するための図である。
【発明を実施するための形態】
【００２０】
以下、図面を参照しつつ、本発明の実施の形態に係る通信システム１について説明する。以下の説明では、同一の部品には同一の符号を付してある。それらの名称および機能も同じである。したがって、それらについての詳細な説明は繰り返さない。
【００２１】
＜Ａ．通信システム１の概略構成＞
図１は、本実施の形態に係る通信システム１を説明するための図である。図１（ａ）は、建物９００の内部を表した図である。図１（ｂ）は、通信システム１の概略構成を表した図である。
【００２２】
図１（ａ）を参照して、建物９００は、部屋ａ〜ｄと、廊下ｅと、複数の窓１１〜１９と、風速計２１〜２９と、複数の扉３１〜３４と、人感センサ４０と、エアーコンディショナ５０と、ＰＭＶ（Predicted Mean Vote）センサ６０と、コントローラ１００とを備えている。エアーコンディショナ５０は、室内機５１と室外機５２とを含む。室外機５２は、外気温センサ５９（図１（ｂ）参照）を有する。なお、扉３１〜３４は、室内扉である。
【００２３】
建物９００では、部屋ａ〜ｄが廊下ｅに沿って配置されている。
窓１１，１２は、採光および通風の目的で、部屋ａの壁に開けられた開口部である。窓１３，１４は、同様の目的で、部屋ｂの壁に開けられた開口部である。窓１５は、同様の目的で、廊下ｅの壁（詳しくは建物９００の外壁）に開けられた開口部である。窓１６，１７は、同様の目的で、部屋ｃの壁に開けられた開口部である。窓１８，１９は、同様の目的で、部屋ｄの壁に開けられた開口部である。
【００２４】
扉３１は、部屋ａと廊下ｅとを仕切る開き戸である。扉３２は、部屋ｂと廊下ｅとを仕切る開き戸である。扉３３は、部屋ｃと廊下ｅとを仕切る開き戸である。扉３４は、部屋ｄと廊下ｅとを仕切る開き戸である。
【００２５】
人感センサ４０と、室内機５１と、ＰＭＶセンサ６０と、コントローラ１００とは、部屋ｄに設置されている。コントローラ１００は、部屋ｄの壁面に設置されている。人感センサ４０とＰＭＶセンサ６０とは、たとえば部屋ｄの天井に設置されている。室外機５２は、建物９００の外に設置されている。
【００２６】
複数の風速計２１〜２９は、それぞれ対応する窓１１〜１９の近傍に設置されている。たとえば、風速計２１は、窓１１の近傍に設置されている。
【００２７】
図１（ｂ）を参照して、通信システム１は、コントローラ１００と、複数の窓１１〜１９の各々の近傍に設置された風速計２１〜２９と、エアーコンディショナ５０とを備えている。エアーコンディショナ５０は、上述したように、室内機５１と室外機５２とを含む。
【００２８】
人感センサ４０は、部屋ｄに人がいるか否かを検知する。人感センサ４０は、検知結果をコントローラ１００に通知する。具体的には、人感センサ４０は、人が居る場合と居ない場合とで異なる信号を、コントローラ１００に出力する。
【００２９】
ＰＭＶセンサ６０は、部屋ｄの快適度を検知する。ＰＭＶセンサ６０は快適度を表した指数（ＰＭＶ値）をコントローラ１００に通知する。
【００３０】
室外機５２に含まれている外気温センサ５９は、建物９００の外部の外気温を測定する。外気温センサ５９は、測定結果をコントローラ１００に通知する。
【００３１】
風速計２１〜２９の各々は、各風速計に対応する窓１１〜１９の近傍の風速を測定する。風速計２１〜２９の各々は、測定結果をコントローラ１００に送信する。
【００３２】
コントローラ１００は、エアーコンディショナ５０の動作を制御する。コントローラ１００は、たとえば、エアーコンディショナ５０を動作させたり、あるいは停止させたりする。コントローラ１００の処理の詳細については、後述する。
【００３３】
以下では、一例として、部屋ｄに風を通すために通信システム１において実行される処理について説明する。つまり、以下では、部屋ｄに着目して説明を行なう。
【００３４】
＜Ｂ．コントローラ１００のハードウェア構成＞
図２は、コントローラ１００の構成を説明するための図である。図２（ａ）は、コントローラ１００の外観を表した図である。図２（ｂ）は、コントローラ１００のハードウェア構成の一態様を表わすブロック図である。
【００３５】
図２（ａ）および（ｂ）を参照して、コントローラ１００は、ＣＰＵ１０１と、ボタン１０４と、通信インターフェイス１０５と、タッチパネル付きディスプレイ１０６と、スピーカ１０７と、時計１０８と、メモリ１０９とを含む。タッチパネル付きディスプレイ１０６は、ディスプレイ１０２と、タブレット１０３とで構成され、ディスプレイ１０２の表面にタブレット１０３が敷設されている。ただし、コントローラ１００は、タブレット１０３を有していなくともよい。
【００３６】
メモリ１０９は、各種のＲＡＭ、ＲＯＭ、フラッシュメモリ、ハードディスクなどによって実現される。たとえば、メモリ１０９は、読取用のインターフェイスを介して利用される、ＵＳＢ（Universal  Serial  Bus）メモリ、ＣＤ−ＲＯＭ（Compact  Disc  -  Read  Only  Memory）、ＤＶＤ−ＲＯＭ（Digital  Versatile  Disk  -  Read  Only  Memory）、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体などによっても実現される。
【００３７】
メモリ１０９は、ＣＰＵ１０１によって実行される、ＯＳ、各種の制御プログラム、並びにＣＰＵ１０１によって読み出されるデータテーブル８００（図３参照）等の各種データを格納する。
【００３８】
ディスプレイ１０２は、ＣＰＵ１０１によって制御されることによって、エアーコンディショナ５０の状態等のユーザに通知すべき情報を表示する。なお、当該情報の詳細については、後述する（図６等）。
【００３９】
タブレット１０３は、ユーザの指によるタッチ操作を検出して、タッチ座標などをＣＰＵ１０１に入力する。ＣＰＵ１０１は、タブレット１０３を介して、ユーザからの命令を受け付ける。
【００４０】
ボタン１０４は、コントローラ１００の表面に配置される。決定キー、方向キー、テンキーなどの複数のボタンがコントローラ１００に配置されても良い。ボタン１０４は、ユーザからの命令を受け付ける。ボタン１０４は、ユーザからの命令をＣＰＵ１０１に入力する。
【００４１】
通信インターフェイス１０５は、ＣＰＵ１０１によって制御されることによって、ネットワークを介して、エアーコンディショナ５０等とデータを送受信する。通信インターフェイス１０５は、たとえば、無線ＬＡＮ、ZigBee(登録商標)、Bluetooth（登録商標）、有線ＬＡＮ、またはＰＬＣなどを利用することによって、エアーコンディショナ５０等とデータを送受信する。
【００４２】
スピーカ１０７は、ＣＰＵ１０１からの命令に基づいて、音声を出力する。たとえば、ＣＰＵ１０１は、音声データに基づいて、スピーカ１０７に音声を出力させる。
【００４３】
時計１０８は、ＣＰＵ１０１からの命令に基づいて、現在の日付や時刻をＣＰＵ１０１に入力する。
【００４４】
ＣＰＵ１０１は、メモリ１０９に記憶されている各種のプログラムを実行することによって、各種の情報処理などを実行する。換言すれば、コントローラ１００における処理は、各ハードウェアおよびＣＰＵ１０１により実行されるソフトウェアによって実現される。このようなソフトウェアは、メモリ１０９に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【００４５】
このようなソフトウェアは、図示しない読取装置を利用することによってその記憶媒体から読み取られて、あるいは、通信インターフェイス１０５を利用することによってダウンロードされて、メモリ１０９に一旦格納される。ＣＰＵ１０１は、ソフトウェアを実行可能なプログラムの形式でメモリ１０９に格納してから、当該プログラムを実行する。
【００４６】
なお、記憶媒体としては、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体（一時的ではない媒体）が挙げられる。
【００４７】
ここでいうプログラムとは、ＣＰＵにより直接実行可能なプログラムだけでなく、ソースプログラム形式のプログラム、圧縮処理されたプログラム、暗号化されたプログラム等を含む。
【００４８】
＜Ｃ．データについて＞
図３は、メモリ１０９に格納されているデータテーブル８００を表した図である。図３を参照して、データテーブル８００は、部屋ｄに風を通すための扉および窓を複数の風速計２１〜２９の各々に対応付けて表したものである。
【００４９】
詳しくは、データテーブル８００は、風速計と、部屋ｄに風を通すための扉および窓との対応関係とを表している。より詳しくは、データテーブル８００は、風速計と、部屋ｄの窓１８，１９を除いた窓１１〜１７のうち部屋ｄに風を入れるための窓と、部屋ｄに風を入れるための扉と、部屋ｄから風を出すための部屋ｄの窓との関係を表している。つまり、データテーブル８００は、風速計の近傍の窓を開ける場合に、部屋ｄに風を通すためには、どの扉およびどの窓を開ける必要があるかを表したものである。
【００５０】
コントローラ１００は、各風速計２１〜２７によって計測された風速の大きさの順に従って、風速計２１〜２７を１つ選択する。コントローラ１００は、選択された風速計の近傍に設置された窓を開ける対象として特定する。さらに、コントローラ１００は、データテーブル８００において当該選択された風速計に対応けされた窓および扉を開ける対象として特定する。
【００５１】
たとえば、窓１１の近傍の風速計２１が風速計２２〜２９よりも速い風速を検知した場合、ＣＰＵ１０１は、データテーブル８００を参照することによって、部屋ｄに風を通すためには、最も早い風速を検知した風速計２１の近傍の窓１１と、扉３１と、扉３４と、部屋ｄの窓１８とを最初に開ければよいと判断する。このような処理を行なった後であっても、部屋ｄの環境が予め定められた条件を満たさない場合には、次に風速が速かった風速計の近傍に設置された窓と、データテーブル８００において当該風速計に対応付けされた窓および扉とを開ける対象として特定する。コントローラ１００は、同様の処理を、部屋ｄの環境が予め定められた条件を満たすまで繰り返す。
【００５２】
＜Ｄ．制御構造＞
図４は、コントローラ１００における処理の流れを表したフローチャートである。なお、以下では、窓１１〜１９は手動開閉式の窓であり、扉３１〜３４は手動開閉式の扉であるとして説明する。また、エアーコンディショナ５０が冷房運転をしている状態であるとする。
【００５３】
図４を参照して、ステップＳ２において、コントローラ１００は、人感センサ４０からの出力に基づき、部屋ｄに人が居るか否かを判断する。コントローラ１００は、人が居ると判断した場合（ステップＳ２においてＹＥＳ）、ステップＳ４において、外気温センサ５９から外気温度情報を取得するとともに、複数の風速計２１〜２９の各々から風速を表した風速情報を取得する。コントローラ１００は、人が居ないと判断した場合（ステップＳ２においてＮＯ）、ステップＳ２６において、エアーコンディショナ５０の停止させる制御を行なう。
【００５４】
ステップＳ６において、コントローラ１００は、複数の風速計２１〜２９が出力した風速情報に基づいて、最も早い風速Ｗ１を判断する。ステップＳ８において、コントローラ１００は、風速Ｗ１が１ｍ／ｓ〜５ｍ／ｓの範囲であって、かつ取得した外気温情報に示された外気温Ｔからエアーコンディショナ５０における設定温度Ｔａを引いた値が１℃未満であるか否かを判断する。つまり、コントローラ１００は、ステップＳ８において、最も速い風速Ｗ１が予め定められた範囲内（１ｍ／ｓ〜５ｍ／ｓ）であるか否かと、設定温度Ｔａに予め定められた第１の値（１℃）を加算したことにより得られる温度よりも外気温Ｔが低いか否かとを判断する。
【００５５】
ステップＳ８に示した判断を行なう理由は、以下のとおりである。まず、温度差については、外気温Ｔがエアーコンディショナ５０の設定温度Ｔａと同等（たとえば差が１℃）であり、かつ風が吹いている場合には、エアーコンディショナ５０を停止させ、かつ窓を開けても、室内を快適な環境に保つことができるためである。また、風速についての範囲を１ｍ／ｓ〜５ｍ／ｓとしたのは、人が風を感じ始める風測１ｍ／ｓから風が危険となり始める風速５／ｍの範囲に対応させたためである。なお、風速１ｍ／ｓで体感温度は１℃下がるため、外気温Ｔが設定温度Ｔａよりも１℃高くても、体感温度は同じである。
【００５６】
風速Ｗ１が１ｍ／ｓ〜５ｍ／ｓの範囲であって、かつ外気温Ｔからエアーコンディショナ５０における設定温度Ｔａを引いた値が１℃未満である場合（ステップＳ８においてＹＥＳ）、ステップＳ１０において、コントローラ１００は、部屋ｄに風を通すために開けることが必要な窓および扉を決定する。一方、風速Ｗ１が１ｍ／ｓ〜５ｍ／ｓの範囲でない場合、および／または外気温Ｔからエアーコンディショナ５０における設定温度Ｔａを引いた値が１℃未満でない場合（ステップＳ８においてＮＯ）、コントローラ１００は、処理をステップＳ２に進める。
【００５７】
ステップＳ１２において、コントローラ１００は、部屋ｄに風を通すために開けるべき窓および扉をユーザに通知するための案内表示を、ディスプレイ１０２に表示する。ステップＳ１４において、コントローラ１００は、エアーコンディショナ５０の動作を停止させる。ステップＳ１６において、コントローラ１００は、ＰＭＶセンサ６０から部屋ｄのＰＭＶ値を取得する。なお、コントローラ１００は、ＰＭＶ値を、たとえば、エアーコンディショナ５０の動作を停止させてから予め定められた時間が経過した後に取得する。
【００５８】
ステップＳ１８において、コントローラ１００は、取得したＰＭＶ値が、予め設定された設定値から０．６を引いて得られる値以上、かつ当該設定値に０．６を加えてことにより得られる値以下であるか否かを判断する。なお、数値「０．６」は、一例であって、これに限定されるものではない。
【００５９】
コントローラ１００は、ＰＭＶ値が予め定められた範囲内である場合（ステップＳ１８においてＹＥＳ）、処理をステップＳ２に進める。一方、コントローラ１００は、ＰＭＶ値が予め定められた範囲内でない場合（ステップＳ１８においてＮＯ）、ステップＳ２０において、部屋ｄの窓１８，１９を除く全ての窓１１〜１７を、部屋ｄに風を通すための窓としてステップＳ１０において決定したか否かを判断する。
【００６０】
コントローラ１００は、窓１１〜１７の全てを部屋ｄに風を通すための窓として既に決定した場合（ステップＳ２０においてＹＥＳ）、ステップＳ２２において、ステップＳ１２において開けることを案内した窓および扉を閉めるための案内表示を、ディスプレイ１０２に表示する。一方、コントローラ１００は、窓１１〜１７の全てを部屋ｄに風を通すための窓として決定していない場合（ステップＳ２０においてＮＯ）、処理をステップＳ１０に進める。ステップＳ２４において、コントローラ１００は、エアーコンディショナ５０を停止させる。
【００６１】
図５は、ステップＳ１０の詳細な処理を説明するためのフローチャートである。図５を参照して、ステップＳ１０２において、コントローラ１００は、部屋ｄに風を入れるための窓を風速の大きさの順に１つ決定する。具体的には、コントローラ１００は、風速計２１〜２９から得られた風速情報とデータテーブル８００とに基づき１つの窓を決定する。たとえば、風速計２１の風速＞風速計２２の風速＞風速計２３の風速…の場合、コントローラ１００は、ステップＳ１０２における１回目の処理として、風速計２１の近傍の窓１１を、開けるべき窓であると判断する。また、ステップＳ１０２の処理が再度行なわれる場合には、２回目の処理として、風速計２２の近傍の窓１２を開けるべき窓であると判断する。
【００６２】
ステップＳ１０４において、コントローラ１００は、データテーブル８００を参照して、上記決定した窓の近傍の風速計に対応付けられた扉を、開けるべき扉であると判断する。たとえば、決定した窓が窓１１である場合、コントローラ１００は、データテーブル８００において窓１１の近傍に設置された風速計２１に対応付けられた扉３１，３４を、開けるべき扉であると判断する。
【００６３】
ステップＳ１０６において、コントローラ１００は、データテーブル８００を参照して、上記決定した窓の近傍の風速計に対応付けられた部屋ｄの窓を開けるべき窓であると判断する。たとえば、決定した窓が窓１１である場合、コントローラ１００は、データテーブル８００において窓１１の近傍に設置された風速計２１に対応付けられた窓１８を、開けるべき扉であると判断する。
【００６４】
＜Ｅ．ユーザインターフェイス＞
図６は、ディスプレイ１０２に表示される案内表示を説明するための図である。図６（ａ）は、風速計２５が最も早い風速を検知した場合に表示される案内表示である。図６（ｂ）は、図６（ａ）に示された案内の後、予め定められた時間を経過してもＰＭＶ値が予め定められた範囲内とならない場合（図４のステップＳ２０においてＮＯの場合）に、ディスプレイ１０２に表示される案内表示の一例である。なお、この場合、風速計２２が２番目に速い風速を検知している。
【００６５】
図６（ａ）を参照して、コントローラ１００は、Ａの窓（つまり窓１５）と、Ｂの扉（つまり扉３４）と、Ｃの窓（つまり窓１９）とを開けるよう、ディスプレイ１０２に案内表示をする。ユーザは、当該案内表示を視認して、窓１５，１９および扉３４を手動にて開けることになる。
【００６６】
図６（ｂ）を参照して、コントローラ１００は、Ａの窓（つまり窓１２）と、Ｂの扉（つまり扉３１）と、Ｃの扉（つまり扉３４）と、Ｄの窓（つまり窓１８）とを開けるよう、ディスプレイ１０２に案内表示をする。ユーザは、当該案内表示を視認して、窓１２，１８および扉３１，３４を手動にて開けることになる。
【００６７】
なお、案内表示の代わりに、あるいは案内表示ともに、開ける対象の窓や扉を音声でユーザに通知してもよい。つまり、何からの方法でユーザに開ける対象の窓や扉を報知するようにコントローラ１００が構成されていればよい。
【００６８】
＜Ｆ．まとめ＞
（１）以上のように、コントローラ１００は、複数の窓１１〜１９および複数の扉３１〜３４を備えた建物９００に設置されている。コントローラ１００は、ＣＰＵ１０１と、建物９００に設置されたエアーコンディショナ５０、複数の窓１１から１９の各々の近傍に設置された風速計２１〜２９、および建物９００の外気温を測定するための外気温センサ５９と通信するための通信インターフェイス１０５と、建物９００内の予め定められた部屋ｄに風を通すための扉および窓を複数の風速計２１〜２９の各々に対応付けて表したデータテーブル８００を格納したメモリ１０９とを備える。
【００６９】
ＣＰＵ１０１は、エアーコンディショナ５０が冷房運転している場合、通信インターフェイス１０５を用いて、外気温センサ５９から外気温を表した外気温情報と、エアーコンディショナ５０からエアーコンディショナ５０において設定されている設定温度Ｔａを表した設定温度情報と、複数の風速計２１〜２９の各々から風速を表した風速情報を受信する。ＣＰＵ１０１は、複数の風速計２１〜２９の中から、最も早い風速を検知した風速計を特定する。ＣＰＵ１０１は、最も速い風速が予め定められた範囲内であって、かつ設定温度Ｔａに予め定められた第１の値（１℃）を加算したことにより得られる温度よりも外気温が低いときに、データテーブル８００に基づいて、特定された風速計に対応付けられた部屋ｄに風を通すための扉および窓を決定する。ＣＰＵ１０１は、部屋ｄに風を通すための扉および窓の決定に基づき、予め定められた出力として、たとえば開ける対象の窓や扉の案内表示を行なう。
【００７０】
したがって、ユーザは、コントローラの出力に基づいて、最も早い風速を検知した風速計の近傍の窓と、当該窓から部屋ｄに空気を取り入れるための扉と、部屋ｄから空気を出す部屋ｄの窓とを判別することができる。それゆえ、部屋ｄへの外気の導入を適切に行なうことができる。したがって、ユーザは、案内表示に示された窓および扉を開けることによって、部屋ｄに設置されたエアーコンディショナ５０を効率的に運転することが可能となる。その結果、エアーコンディショナの消費電力を低減可能となる。
【００７１】
（２）ＣＰＵ１０１は、通信インターフェイス１０５を用いて、部屋ｄの快適指数を計測するＰＭＶセンサ６０から当該快適指数を表した快適指数情報をさらに受信する。ＣＰＵ１０１は、快適指数が快適であることを表した数値であるか否かを判断する。ＣＰＵ１０１は、快適指数が快適でないことを表した数値である場合、複数の風速計の中から、次に速い風速を検知した風速計を特定する。ＣＰＵ１０１は、データテーブル８００に基づいて、特定された風速計に対応付けられた部屋ｄに風を通すための扉および窓を再度決定する。ＣＰＵ１０１は、部屋ｄに風を通すための扉および窓の再度の決定に基づき、予め定められた出力を再度行なう。ＣＰＵ１０１は、快適指数が快適であることを表した数値であるか否かを再度判断する。ＣＰＵ１０１は、快適指数が快適であることを表した数値となるまで、風速計の特定と、部屋ｄに風を通すための扉および窓の決定と、上述した予め定められた出力（案内表示）とを繰り返す。
【００７２】
ユーザが、コントローラの出力に基づいて、最も早い風速を検知した風速計の近傍の窓を開けても、部屋ｄがユーザにとって快適とならない場合も生じる。つまり、部屋ｄの快適指数が快適を示す数値とならないことがある。たとえば、最も早い風速を検知した風速計の近傍の窓が部屋ｄから遠い場合や、当該風速計から部屋ｄまでの経路中に扉以外の風の流れを妨げる要素が存在する場合である。
【００７３】
このような場合、コントローラ１００は、最も早い風速の次に早い風速を検知した風速計の近傍の窓と、当該窓から部屋ｄに空気を取り入れるための扉と、部屋ｄから空気を出す部屋ｄの窓とを、ユーザに案内表示等する。したがって、ユーザは、部屋ｄを快適にするための次の対応を知ることができる。
【００７４】
また、２番目に早い風速を検知した風速計の近傍の窓を開けても、部屋ｄがユーザにとって快適とならない場合には、コントローラ１００は、３番目に早い風速を検知した風速計の近傍の窓と、当該窓から部屋ｄに空気を取り入れるための扉と、部屋ｄから空気を出す部屋ｄの窓とを、ユーザに案内表示等する。
【００７５】
コントローラ１００は、このような処理を繰り返すことにより、部屋ｄがユーザにとって快適となる可能性のある対応を提示することが可能となる。それゆえ、コントローラは、最も早い風速を検知した風速計の近傍の窓と、当該窓から部屋ｄに空気を取り入れるための扉と、部屋ｄから空気を出す部屋ｄの窓とを開けるだけの構成に比べて、部屋ｄが快適となる可能が高まる。
【００７６】
（３）ＣＰＵ１０１は、予め定められた出力を行なった後に、エアーコンディショナ５０の冷房運転を停止させる指令をエアーコンディショナ５０に送信する。したがって、ユーザが、エアーコンディショナ５０の冷房運転を停止させる入力操作を行なう必要がなくなる。また、ユーザが入力操作を失念した場合であっても、エアーコンディショナ５０は自動で冷房運転を停止するため、エアーコンディショナ５０の消費電力を確実に低減できる。
【００７７】
＜Ｇ．変形例＞
（ｇ１．第１の変形例）
上記においては、窓１１〜１９および扉３１〜３４が全て手動動作するものとして説明した。以下では、窓１１〜１９には自動で開閉する窓が含まれ、扉３１〜３４には自動で開閉する扉が含まれている場合における、コントローラ１００の処理について説明する。なお、以下では、窓を開閉するための装置を窓開閉装置と称し、扉を開閉するための装置を扉開閉装置と称する。なお、窓開閉装置は１つの窓に対応して設けられており、扉開閉装置は１つの扉に対応して設けられている。
【００７８】
図７は、コントローラ１００の処理の一部を説明するためのフローチャートである。コントローラ１００は、図４におけるステップＳ１２の代わりに、ステップＳ２０２〜ステップＳ２１６の処理を実行する。
【００７９】
コントローラ１００は、各窓１１〜１９が自動開閉式の窓であるか否かを示したデータをメモリ１０９に予め格納している。また、コントローラ１００は、各扉３１〜３４が自動開閉式の扉であるか否かを示したデータをメモリ１０９に予め格納している。
【００８０】
図７を参照して、ステップＳ２０２において、コントローラ１００は、ステップＳ１０で決定した窓が自動開閉式の窓であるか否かを判断する。コントローラ１００は、自動開閉式の窓であると判断した場合（ステップＳ２０２においてＹＥＳ）、ステップＳ２０４において、窓を開けるための指令を当該窓に対応した窓開閉装置（図示せず）に対して送信する。なお、窓開閉装置は、当該指令を受信したことに基づき、当該窓開閉装置に対応している窓を開ける。コントローラ１００は、自動開閉式の窓でないと判断した場合（ステップＳ２０２においてＮＯ）、処理をステップＳ２１２に進める。
【００８１】
ステップＳ２０６において、コントローラ１００は、ステップＳ１０で決定した扉が自動開閉式の扉であるか否かを判断する。コントローラ１００は、自動開閉式の扉であると判断した場合（ステップＳ２０６においてＹＥＳ）、ステップＳ２０８において、扉を開けるための指令を当該扉に対応した扉開閉装置（図示せず）に対して送信する。なお、扉開閉装置は、当該指令を受信したことに基づき、当該扉開閉装置に対応している扉を開ける。コントローラ１００は、自動開閉式の扉でないと判断した場合（ステップＳ２０６においてＮＯ）、ステップＳ２１０において、開けるべき扉の案内表示をディスプレイ１０２に表示する。
【００８２】
ステップＳ２１２において、コントローラ１００は、ステップＳ１０で決定した扉が自動開閉式の扉であるか否かを判断する。コントローラ１００は、自動開閉式の扉であると判断した場合（ステップＳ２１２においてＹＥＳ）、ステップＳ２１４において、扉を開けるための指令を当該扉に対応した扉開閉装置に対して送信する。コントローラ１００は、自動開閉式の扉でないと判断した場合（ステップＳ２１２においてＮＯ）、ステップＳ２１６において、開けるべき窓および扉の案内表示をディスプレイ１０２に表示する。
【００８３】
なお、上記において、窓および扉を開ける処理を説明したが、当該開けた窓および扉を閉める場合にも、ステップＳ２２の代わりに、上記のような処理が行なわれる。この場合、コントローラ１００は、窓および扉を開けるための指令を送信する代わりに、窓および扉を閉めるための指令を送信することになる。また、コントローラ１００は、開ける窓および扉の案内表示をする代わりに、閉じる窓および扉の案内表示を行なう。
【００８４】
以上のように、複数の窓１１〜１９は、コントローラ１００の指令に基づいて自動で開閉動作を行なう第１の窓と、手動で開閉動作が行なわれる第２の窓とを含んでいる。コントローラ１００は、決定された窓のうち第１の窓を開閉するための装置に対して当該窓を開けるための指令を送信し、決定された窓のうち第２の窓および決定された扉を表す情報を画像および／または音声にて報知する。
【００８５】
したがって、ユーザは、自動開閉式の窓および扉については開放操作をする必要がなくなる。また、自動開閉式でない窓および扉については、開けるべき旨の報知がされるため、開ける対象の窓および扉を確実に認識することができる。
【００８６】
また、窓１１〜１９が全て自動で開閉動作を行なうものである場合には、コントローラ１００は、決定された窓がいずれかの窓であるかにかかわらず、当該決定された窓を開けるための窓開閉装置に対して当該窓を開けるための指令を送信する構成であるといえる。
【００８７】
（ｇ２．第２の変形例）
図８は、図４のステップＳ４とステップＳ６との間に新たな判断処理のステップを追加した構成のフローチャートである。具体的には、図８は、新たな判断処理のステップＳ３０２を説明するためのフローチャートである。図９は、ステップＳ３０２において肯定的な判断がなされた場合に行なわる一連の処理を説明するための図である。
【００８８】
図８を参照して、コントローラ１００は、ステップＳ４の処理の後、エアーコンディショナ５０の設定温度Ｔａから外気温Ｔを引いた値が２℃以上であるか否かを判断する。コントローラ１００は、２℃以上であると判断した場合(ステップＳ３０２においてＹＥＳ）、処理を図９のステップＳ３０４に進める。コントローラ１００は、２℃未満であると判断した場合（ステップＳ３０２においてＮＯ）、処理をステップＳ６に進める。
【００８９】
以下、閾値として２℃を用いた理由について説明する。４家庭における実生活実験の結果、十分快適である状態のＰＭＶ値と、ユーザが不快を感じ始めるＰＭＶ値との差は、０．６程度であった。つまり、両ＰＭＶ値の差は少なかった。当該実験では、当該０．６の差は、室温差２℃に相当する。したがって、各家庭において快適に感じる状態と不快に感じ始める温度差が２℃であると考えられる。そこで、上記閾値として、２℃を用いた。
【００９０】
次に、図９を参照して、ステップＳ３０４において、コントローラ１００は、部屋ｄの窓を開けるための案内表示を行なう。具体的には、コントローラ１００は、窓１８および窓１９の少なくとも１つを開けるための案内表示を行なう。どの窓を開けるかは、予めコントローラ１００のメモリ１０９に格納されている。
【００９１】
ステップＳ３０６において、コントローラ１００は、エアーコンディショナ５０の動作を停止させる。ステップＳ３０８において、コントローラ１００は、部屋ｄのＰＭＶ値をＰＭＶセンサ６０から取得する。ステップＳ３１０において、コントローラ１００は、取得したＰＭＶ値が、予め設定された設定値から０．６を引いて得られる値以上、かつ当該設定値に０．６を加えてことにより得られる値以下であるか否かを判断する。
【００９２】
コントローラ１００は、ＰＭＶ値が予め定められた範囲内である場合（ステップＳ３１０においてＹＥＳ）、処理を図８のステップＳ２に進める。一方、コントローラ１００は、ＰＭＶ値が予め定められた範囲内でない場合（ステップＳ３１０においてＮＯ）、図８のステップＳ１０に進める。
【００９３】
図８に示したように、コントローラ１００は、設定温度Ｔａから予め定められた第２の値（２℃）を差し引いたことにより得られる温度よりも外気温Ｔが高い場合（ステップＳ３０２においてＮＯの場合）、少なくとも、最も速い風速が予め定められた範囲内であるか否かの判断と、設定温度Ｔａに第１の値（１℃）を加算したことにより得られる温度よりも外気温Ｔが低いか否かの判断とを行なう。
【００９４】
ところで、設定温度Ｔａから２℃を差し引いたことにより得られる温度よりも外気温Ｔが低い場合、部屋ｄの窓を開けるだけで、部屋ｄが快適になると考えられる。その一方、設定温度Ｔａから２℃を差し引いたことにより得られる温度よりも外気温Ｔが高い場合、部屋ｄの窓を開けるだけでは、部屋ｄを快適にすることは困難である。
【００９５】
そこで、設定温度Ｔａから２℃を差し引いたことにより得られる温度よりも外気温Ｔが高い場合だけ、最も速い風速が予め定められた範囲内であるか否かの判断と、設定温度Ｔａに１℃を加算したことにより得られる温度よりも外気温Ｔが低いか否かの判断とを行なうことによって、部屋ｄ以外の窓および扉を開けるといった無駄な動作をユーザは行なわなくてもよくなる。
【００９６】
また、コントローラ１００は、設定温度Ｔａから第２の値（上記閾値である２℃）を差し引いたことにより得られる温度よりも外気温Ｔが低い場合（ステップＳ３０２においてＹＥＳの場合）、部屋ｄに風を通すための扉および窓の決定を行なわない。その代わりに、図９に示したように、コントローラ１００は、部屋ｄの窓がコントローラの指令に基づいて自動で開閉動作を行なうものであるときには当該窓を開けるための指令を送信する。また、コントローラ１００は、部屋ｄの窓が前記コントローラの指令に基づいて自動で開閉動作を行なうものでないときには当該窓を開けることを指示する報知を行なう。
【００９７】
上述したように、設定温度Ｔａから２℃を差し引いたことにより得られる温度よりも外気温Ｔが低い場合、部屋ｄの窓を開けるだけで、部屋ｄが快適になると考えられる。したがって、ユーザは、エアーコンディショナ５０が設置された部屋ｄ（つまり、ユーザが居る部屋）の窓を開けるだけで、部屋ｄを快適な状態とすることができる。
【００９８】
（ｇ３．第３の変形例）
上記においては、窓および扉を開けることによって部屋ｄに風を通す構成を例に挙げて説明したが、これに限定されるものではない。各部屋ａ〜ｄが、換気扇と当該換気扇の近傍に設置された風速計を有する場合、コントローラ１００は、窓の開閉の代わりに換気扇の動作を制御してもよい。また、各部屋ａ〜ｄと廊下とを仕切る各壁に換気扇が設けられている場合には、コントローラ１００は、扉の開閉の代わりに換気扇の動作を制御してもよい。なお、動作の制御としては、換気扇の稼動、停止、換気扇の回転翼の回転方向の制御が挙げられる。コントローラ１００は、このような換気扇の動作の制御によって、建物９００内への外気導入および部屋ｄへの空気流入を実現してもよい。
【００９９】
（ｇ４．第４の変形例）
上記においては、外気温を測定する機器として、エアーコンディショナ５０の室外機５２に設置された外気温センサ５９を用いた例を挙げたが、これに限定されるものではない。室外機５２とは別に設けた温度センサを利用してもよい。
【０１００】
（ｇ５．第５の変形例）
上記においては、図４および図１８のフローチャートにおけるステップＳ１６で部屋ｄのＰＭＶ値をコントローラ１００がＰＭＶセンサ６０から取得し、次のステップＳ１８において、ＰＭＶ値が予め定められた範囲内にあるかを判断する構成を例に挙げて説明した。しかしながら、これに限定されるものではなく、ステップＳ１６およびステップＳ１８をコントローラ１００が実施せずに、「現在の部屋ｄが快適であるか否かの問い合わせ」（たとえば、画面表示）に対する入力をユーザから受け付けるようにコントローラ１００を構成してもよい。
【０１０１】
また、ＰＭＶセンサ６０から取得したＰＭＶ値を用いる代わりに、部屋ｄの室内温度に基づいて部屋ｄが快適か否かを判断するように、コントローラ１００を構成してもよい。この場合、部屋ｄの室内温度の測定は、室内機５１が備える温度センサにより行なってもよいし、コントローラ１００に通信可能な態様で室温計を別途設けてもよい。
【０１０２】
（ｇ６．第６の変形例）
上記においては、図４および図８のステップＳ６において、ＣＰＵ１０１は、複数の風速計２１〜２９の中から、最も早い風速を検知した風速計を特定した。そして、図４および図８のステップＳ８において、ＣＰＵ１０１は、最も速い風速が予め定められた範囲内（１ｍ／ｓ〜５ｍ／ｓ）であって、かつ設定温度Ｔａに予め定められた第１の値（１℃）を加算したことにより得られる温度よりも外気温が低いときに、データテーブル８００に基づいて、特定された風速計に対応付けられた部屋ｄに風を通すための扉および窓を決定した。
【０１０３】
しかしながら、これに限定されるものではない。図４および図８のステップＳ８のように、最も速い風速が予め定められた範囲内である場合に扉および窓を決定するのではなく、最も速い風速が予め定められた範囲内であろうとなかろうと扉および窓を決定するように、コントローラ１００を構成してもよい。
【０１０４】
この場合、ＣＰＵ１０１は、以下の処理を実行する構成であるといえる。ＣＰＵ１０１は、エアーコンディショナ５０が冷房運転している場合、通信インターフェイス１０５を用いて、外気温センサ５９から外気温を表した外気温情報と、エアーコンディショナ５０からエアーコンディショナ５０において設定されている設定温度Ｔａを表した設定温度情報と、複数の風速計２１〜２９の各々から風速を表した風速情報を受信する。ＣＰＵ１０１は、複数の風速計２１〜２９の中から、最も早い風速を検知した風速計を特定する。ＣＰＵ１０１は、設定温度Ｔａに予め定められた第１の値（１℃）を加算したことにより得られる温度よりも外気温が低いとき、データテーブル８００に基づいて、特定された風速計に対応付けられた部屋ｄに風を通すための扉および窓を決定する。ＣＰＵ１０１は、部屋ｄに風を通すための扉および窓の決定に基づき、予め定められた出力として、たとえば開ける対象の窓や扉の案内表示を行なう。
【０１０５】
ところで、取り敢えず屋外に風の流れがあれば、当該風を部屋ｄに引き込めれば、部屋ｄの快適性を向上できる。したがって、コントローラ１００が、最も速い風速が予め定められた範囲内であろうとなかろうと扉および窓を決定する構成の場合であっても、ユーザが案内表示に示された窓および扉を開けることによって、部屋ｄに設置されたエアーコンディショナ５０を効率的に運転することが可能となる。その結果、エアーコンディショナの消費電力を低減可能となる。
【０１０６】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１０７】
１  通信システム、１１〜１９  窓、２１〜２９  風速計、３１〜３４  扉、４０  人感センサ、５０  エアーコンディショナ、５１  室内機、５２  室外機、５９  外気温センサ、６０  ＰＭＶセンサ、１００  コントローラ、１０２  ディスプレイ、１０３  タブレット、１０５  通信インターフェイス、１０６  タッチパネル付きディスプレイ、１０７  スピーカ、１０９  メモリ、８００  データテーブル、９００  建物。
【図１】
2013092283.tif 000003
【図２】
2013092283.tif 000004
【図３】
2013092283.tif 000005
【図４】
2013092283.tif 000006
【図５】
2013092283.tif 000007
【図６】
2013092283.tif 000008
【図７】
2013092283.tif 000009
【図８】
2013092283.tif 000010
【図９】
2013092283.tif 000011